(57)【特許請求の範囲】
【請求項１】
表示部と、
前記表示部にアイコンを表示させる制御部と、
前記表示部の表示面への第１被検出物の接触と第２被検出物の接触とを検出する検出部と
を備え、
前記検出部は、前記アイコンの内部で前記第１被検出物による第１接触点を検出するとともに、前記アイコンの外部で前記第２被検出物による第２接触点を検出し、
前記制御部は、
前記検出部が前記第２接触点の第１方向への回転を検出したときに前記表示部に前記アイコンを非表示にさせ、
前記検出部が前記第２接触点の前記第１方向と反対の第２方向への回転を検出したときに前記アイコンを保護状態に設定し、
前記保護状態は、前記アイコンを非表示にすることが禁止された状態である、表示装置。
【請求項２】
前記制御部は、前記アイコンが前記保護状態に設定されている場合、前記検出部が前記第２接触点の前記第１方向への回転を検出したときに前記保護状態を解除する、請求項１に記載の表示装置。
【請求項３】
前記制御部は、前記第２接触点の始点の位置情報と終点の位置情報との差分に応じて、前記第２接触点の回転方向が前記第１方向及び前記第２方向のいずれであるかを判定する、請求項１または請求項２に記載の表示装置。
【請求項４】
前記制御部は、前記検出部が前記第２接触点の前記第１方向への回転を検出したあと前記第１被検出物の前記表示面からの離間及び前記第２被検出物の前記表示面からの離間のいずれかを検出するときに、前記表示部に前記アイコンを非表示にさせる、請求項１から請求項３のいずれか１項に記載の表示装置。
【請求項５】
前記制御部は、前記検出部が前記第２接触点の前記第１方向への回転を検出したあと前記第１被検出物の前記表示面からの離間及び前記第２被検出物の前記表示面からの離間を検出するときに、前記表示部に前記アイコンの表示を維持させる、請求項１から請求項４のいずれか１項に記載の表示装置。
【請求項６】
請求項１から請求項５のいずれか１項に記載の表示装置と、
シートに画像を形成する画像形成部と
を備える、画像形成装置。
【発明の詳細な説明】
【技術分野】
【０００１】
本発明は、表示装置、及び画像形成装置に関する。
【背景技術】
【０００２】
特許文献１に開示された情報処理装置は、タッチパネルを内蔵したディスプレーを備えている。タッチパネルは、マルチタッチ機能に対応している。マルチタッチ機能とは、複数のタッチ動作の入力を同時または順次検出する機能である。タッチパネルには、例えばアイコンが表示される。第１のタッチ動作によりアイコンが選択された状態で、タッチパネルが第２のタッチ動作を検出した場合、第２のタッチ動作によって選択された指示部（例えば、タッチパネルに表示されたウィンドウの任意の箇所）に選択されたアイコンの情報を移動させる。
【先行技術文献】
【特許文献】
【０００３】
【特許文献１】特開２０１０−１７６５６８号公報
【発明の概要】
【発明が解決しようとする課題】
【０００４】
しかしながら、特許文献１に開示された情報処理装置では、ディスプレーに表示されたアイコンの情報を少ない動作で移動させるため、ディスプレーに表示されたアイコンの情報を少ない動作で削除させる（非表示にされる）可能性がある。すなわち、ユーザーの誤操作に起因してディスプレーに表示されたアイコンが削除される可能性がある。
【０００５】
本発明は、上記課題に鑑みてなされたものであり、ユーザーの誤操作に起因してアイコンが非表示にされることを抑制できる表示装置及び画像形成装置を提供することを目的としている。
【課題を解決するための手段】
【０００６】
本発明の第１の観点によれば、表示部と、制御部と、検出部とを備える。制御部は、前記表示部にアイコンを表示させる。検出部は、前記表示部の表示面への第１被検出物の接触と第２被検出物の接触とを検出する。前記検出部は、前記アイコンの内部で前記第１被検出物による第１接触点を検出するとともに、前記アイコンの外部で前記第２被検出物による第２接触点を検出する。前記制御部は、前記検出部が前記第２接触点の移動を検出するときに、前記表示部に前記アイコンを非表示にさせる。
【０００７】
本発明の第２の観点によれば、画像形成装置は、本発明の第１の観点による表示装置と、画像形成部とを備える。画像形成部は、シートに画像を形成する。
【発明の効果】
【０００８】
本発明によれば、ユーザーの誤操作に起因してアイコンが非表示にされることを抑制できる。
【図面の簡単な説明】
【０００９】
【図１】本発明の実施形態１に係る表示装置を示す図である。
【図２】（ａ）〜（ｄ）本発明の実施形態１に係る表示装置が実行するアイコン非表示制御を示す図である。
【図３】（ａ）〜（ｄ）本発明の実施形態１に係る表示装置が実行するアイコン表示維持制御を示す図である。
【図４】（ａ）〜（ｄ）本発明の実施形態１の変形例に係る表示装置が実行するアイコン非表示制御を示す図である。
【図５】（ａ）〜（ｄ）本発明の実施形態１の変形例に係る表示装置が実行するアイコン非表示制御の取り消しを示す図である。
【図６】本発明の実施形態２に係る画像形成装置の断面図である。
【発明を実施するための形態】
【００１０】
以下、本発明の実施形態について、図面を参照しながら説明する。なお、図中、同一または相当部分については同一の参照符号を付して説明を繰り返さない。
【００１１】
（実施形態１）
図１及び図２を参照して、本発明の実施形態１に係る表示装置１について説明する。図１は、表示装置１を示す。表示装置１は、制御部１０と、表示部２０と、検出部としてのタッチパネル３０とを備える。図２（ａ）〜図２（ｄ）は、表示装置１が実行するアイコン非表示制御を示す。表示部２０は、例えば、液晶ディスプレーである。制御部１０は、表示部２０にアイコン２１、アイコン２２、及びアイコン２３を表示させる。
【００１２】
詳細な説明に先立って、本明細書におけるＸＹ座標系について説明する。Ｘ軸は表示部２０の表示面２０Ａの長辺と平行であり、Ｙ軸は表示部２０の表示面２０Ａの短辺と平行である。接触点は位置座標（Ｘ，Ｙ）によって表される。
【００１３】
本実施形態において、ユーザーは、左手の親指Ｆ１（第１被検出物）と左手の人差し指Ｆ２（第２被検出物）とで表示面２０Ａに接触する。ただし、ユーザーは、必要に応じて、右手の親指Ｆ１（第１被検出物）と右手の人差し指Ｆ２（第２被検出物）とで表示面２０Ａに接触してもよい。タッチパネル３０は、表示部２０の表示面２０Ａへの親指Ｆ１の接触と人差し指Ｆ２の接触とを検出する。
【００１４】
ユーザーがアイコン２１〜２３のいずれかの内部に接触すると、タッチパネル３０は、ユーザーに接触されたいずれかのアイコン２１〜アイコン２３の内部で第１接触点Ｔ１０を検出する。また、ユーザーがアイコン２１〜２３のいずれかの外部に接触すると、タッチパネル３０は、アイコン２１〜アイコン２３のいずれかの外部で第２接触点Ｔ２０を検出する。
【００１５】
例えば、ユーザーが親指Ｆ１でアイコン２１の内部に接触し、人差し指Ｆ２でアイコン２１の外部に接触すると、タッチパネル３０は、アイコン２１の内部で親指Ｆ１による第１接触点Ｔ１０を検出するとともに、アイコン２１の外部で人差し指Ｆ２による第２接触点Ｔ２０を検出する。アイコン２１の外部とは、表示面２０Ａのうちアイコン２１の表示されていない領域のことである。従って、ユーザーが親指Ｆ１でアイコン２１の内部に接触した状態で、人差し指Ｆ２でアイコン２２の内部（アイコン２１の外部）に接触しても、タッチパネル３０は、アイコン２１の内部で第１接触点Ｔ１０を検出し、アイコン２２の内部で第２接触点Ｔ２０を検出する。
【００１６】
次に、図１及び図２を参照して、表示装置１が実行するアイコン表示制御について説明する。図２（ａ）に示すように、ステップＳ１１において、制御部１０は、表示部２０にアイコン２１、アイコン２２、及びアイコン２３を表示させる。ユーザーは、親指Ｆ１でアイコン２３の内部に接触する。タッチパネル３０は、アイコン２３の内部で親指Ｆ１による第１接触点Ｔ１０を検出する。
【００１７】
図２（ｂ）に示すように、ステップＳ１２において、ユーザーは、親指Ｆ１でアイコン２３の内部に接触した状態で、人差し指Ｆ２でアイコン２３の外部に接触する。タッチパネル３０は、アイコン２３の内部で親指Ｆ１による第１接触点Ｔ１０を検出するとともに、アイコン２３の外部で人差し指Ｆ２による第２接触点Ｔ２０を検出する。
【００１８】
図２（ｃ）に示すように、ステップＳ１３において、ユーザーは、親指Ｆ１をアイコン２３の内部に接触させた状態で、第１方向Ｒ１に人差し指Ｆ２をスライドさせる。図２において、第１方向Ｒ１は、反時計回りである。従って、タッチパネル３０は、第１接触点Ｔ１０を軸とする第２接触点Ｔ２０の第１方向Ｒ１への回転を検出する。なお、本実施形態において、ユーザーは、ステップＳ１１〜ステップＳ１３が実行される間、親指Ｆ１でアイコン２３の内部に接触し続けている。
【００１９】
図２（ｄ）に示すように、ステップＳ１４において、タッチパネル３０がアイコン２３の内部で第１接触点Ｔ１０を検出するとともに第２接触点Ｔ２０の第１方向Ｒ１への回転（移動）を検出したときに、制御部１０は、表示部２０にアイコン２３を非表示にさせる。アイコン２３の非表示とは、表示部２０にアイコン２３が表示されていない状態である。例えば、制御部１０は、表示部２０にアイコン２３を消去させて、アイコン２３を非表示にする。また、例えば、制御部１０は、表示部２０にアイコン２３を透過させてユーザーが視認できない状態にすることで、アイコン２３を非表示にする。アイコン２１又はアイコン２２が非表示にされる場合、表示部２０は、アイコン２３と同様にしてアイコン２１又はアイコン２２を表示部２０に非表示にさせる。
【００２０】
図１及び図２を参照して説明したように、本実施形態によれば、第１接触点Ｔ１０及び第２接触点Ｔ２０が検出された状態で、第１方向Ｒ１に移動する第２接触点Ｔ２０が検出されるときに、第１接触点Ｔ１０が位置するアイコン２１〜２３のいずれかが非表示にされる。従って、ユーザーは、意図的に表示面２０Ａに接触することで、アイコン２１〜２３のいずれかを非表示にできる。その結果、ユーザーが表示装置１を誤操作することに起因してアイコン２１〜２３のいずれかが非表示にされることを抑制できる。
【００２１】
次に、図３（ａ）〜図３（ｄ）を参照して、表示装置１が実行するアイコン表示維持制御について説明する。図３（ａ）〜図３（ｄ）は、表示装置１が実行するアイコン表示維持制御を示す。図３（ａ）に示すように、ステップＳ２１において、ユーザーは、親指Ｆ１でアイコン２３の内部に接触する。タッチパネル３０は、アイコン２３の内部で親指Ｆ１による第１接触点Ｔ１０を検出する。
【００２２】
図３（ｂ）に示すように、ステップＳ２２において、ユーザーは、親指Ｆ１でアイコン２３の内部に接触した状態で、人差し指Ｆ２でアイコン２３の外部に接触する。タッチパネル３０は、アイコン２３の内部で第１接触点Ｔ１０を検出するとともに、アイコン２３の外部で人差し指Ｆ２による第２接触点Ｔ２０を検出する。
【００２３】
図３（ｃ）に示すように、ステップＳ２３において、ユーザーは、親指Ｆ１をアイコン２３の内部に接触させたまま、第２方向Ｒ２に人差し指Ｆ２をスライドさせる。第２方向Ｒ２は、図３において時計回りであり、第１方向Ｒ１と反対である。従って、タッチパネル３０は、第１接触点Ｔ１０を軸とする第２接触点Ｔ２０の第２方向Ｒ２への移動を検出する。
【００２４】
制御部１０は、タッチパネル３０が第１接触点Ｔ１０を検出しつつ第２接触点Ｔ２０の第２方向Ｒ２への回転を検出したときに、第１接触点Ｔ１０の位置するアイコン２１〜２３のいずれかを保護状態に設定する。従って、ステップＳ２３では、アイコン２３が保護状態に設定される。
【００２５】
保護状態とは、保護状態に設定されたアイコン２１〜２３のいずれかを非表示にすることが禁止された状態である。すなわち、保護状態のアイコン２１〜２３のいずれかは、表示部２０に表示を維持される。アイコン２３が保護状態である場合、アイコン２３の内部で第１接触点Ｔ１０が検出され、第１方向Ｒ１に回転する第２接触点Ｔ２０が検出されても、アイコン２３は表示部２０に非表示にされない。
【００２６】
アイコン２３が保護状態である場合、制御部１０は、表示部２０にアイコン２３を目立たせるように表示させてもよい。例えば、制御部１０は、アイコン２３の色を変更して表示部２０に表示させてもよいし、アイコン２３の周りを縁取りして表示部２０に表示させてもよい。
【００２７】
図３（ｄ）に示すように、ステップＳ２４において、ユーザーは、親指Ｆ１で保護状態のアイコン２３の内部に接触して、人差し指Ｆ２でアイコン２３の外部に接触し、第１方向Ｒ１に人差し指Ｆ２をスライドさせる。タッチパネル３０は、保護状態のアイコン２３の内部で第１接触点Ｔ１０を検出し、アイコン２３の外部で第２接触点Ｔ２０を検出したあと、さらに第２接触点Ｔ２０の第１方向Ｒ１への回転を検出する。アイコン２３が保護状態に設定されている場合、タッチパネル３０が、保護状態のアイコン２３の内部で検出される第１接触点Ｔ１０を軸とする第２接触点Ｔ２０の第１方向Ｒ１への回転を検出したときに、制御部１０は、アイコン２３の保護状態を解除する。
【００２８】
図１及び図３を参照して説明したように、本実施形態によれば、タッチパネル３０が第２接触点Ｔ２０の第２方向Ｒ２への回転を検出したとき、第１接触点Ｔ１０の位置するアイコン２３は保護状態に設定される。従って、ユーザーが表示面２０Ａを誤って接触した場合であっても、表示部２０は、保護状態のアイコン２１〜２３の表示を維持する。その結果、ユーザーの誤操作に起因してアイコン２１〜２３が表示部２０に非表示にされることをさらに抑制できる。
【００２９】
また、本実施形態によれば、アイコン２３が保護状態に設定されている場合、タッチパネル３０がアイコン２３の内部で第１接触点Ｔ１０を検出し、第２接触点Ｔ２０の第１方向Ｒ１への回転を検出したときにアイコン２３の保護状態が解除される。従って、ユーザーが意図的に表示面２０Ａに接触することで、アイコン２３の保護状態が解除される。その結果、アイコン２３を保護状態に設定することで、ユーザーの誤操作に起因してアイコン２３が表示部２０に非表示にされることをさらに抑制できる。
【００３０】
次に、図１、図４及び図５を参照して、実施形態１の変形例に係る表示装置１が実行するアイコン非表示制御及びアイコン非表示制御の取り消しについて説明する。まず、図１及び図４を参照して実施形態１の変形例に係る表示装置１が実行するアイコン非表示制御について説明する。図４（ａ）〜図４（ｄ）は、実施形態１の変形例に係る表示装置１が実行するアイコン非表示制御を示す。変形例は、第１方向Ｒ１に回転する第２接触点Ｔ２０が検出されたあと、親指Ｆ１の表示面２０Ａからの離間及び人差し指Ｆ２の表示面２０Ａからの離間のいずれかが検出されるとアイコン２１〜２３のいずれかが非表示にされる点で、実施形態１と異なる。
【００３１】
図４（ａ）に示すように、ステップＳ３１において、ユーザーは、親指Ｆ１でアイコン２３の内部に接触する。タッチパネル３０は、アイコン２３の内部で親指Ｆ１による第１接触点Ｔ１０を検出する。
【００３２】
図４（ｂ）に示すように、ステップＳ３２において、ユーザーは、親指Ｆ１でアイコン２３の内部に接触したまま、人差し指Ｆ２でアイコン２３の外部に接触する。タッチパネル３０は、アイコン２３の内部で第１接触点Ｔ１０を検出するとともに、アイコン２３の外部で人差し指Ｆ２による第２接触点Ｔ２０を検出する。
【００３３】
図４（ｃ）に示すように、ステップＳ３３において、ユーザーは、親指Ｆ１をアイコン２３の内部に接触させた状態で、第１方向Ｒ１に人差し指Ｆ２をスライドさせる。従って、タッチパネル３０は、アイコン２３の内部で第１接触点Ｔ１０を検出するとともに、第２接触点Ｔ２０の第１方向Ｒ１への回転を検出する。その後、ユーザーは、表示部２０の表示面２０Ａから人差し指Ｆ２を離し、所定の時間が経過するまで親指Ｆ１を表示面２０Ａに接触させる。タッチパネル３０は、人差し指Ｆ２の表示面２０Ａからの離間を検出する。
【００３４】
制御部１０は、タッチパネル３０が第２接触点Ｔ２０の第１方向Ｒ１への回転を検出したあと親指Ｆ１の表示面２０Ａからの離間及び人差し指Ｆ２の表示面２０Ａからの離間のいずれかを検出するときに、表示部２０にアイコン２３を非表示にさせる。従って、図４（ｄ）に示すように、ステップＳ３４において、制御部１０は、表示部２０にアイコン２３を非表示にさせる。
【００３５】
なお、制御部１０は、タッチパネル３０が第２接触点Ｔ２０の第１方向Ｒ１への回転を検出したあと親指Ｆ１の表示面２０Ａからの離間を検出するときも、表示部２０にアイコン２３を非表示にさせる。従って、ユーザーが表示部２０の表示面２０Ａから親指Ｆ１を離し、所定の時間が経過するまで人差し指Ｆ２を表示面２０Ａに接触させる場合であっても、制御部１０は、表示部２０にアイコン２３を非表示にさせる。
【００３６】
次に、図１及び図５を参照して実施形態１の変形例に係る表示装置１が実行するアイコン非表示制御の取り消しについて説明する。図５（ａ）〜図５（ｂ）は、実施形態１の変形例に係る表示装置１が実行するアイコン非表示制御の取り消しを示す。
【００３７】
図５（ａ）に示すように、ステップＳ４１において、ユーザーが親指Ｆ１でアイコン２３の内部に接触すると、タッチパネル３０は、アイコン２３の内部で親指Ｆ１による第１接触点Ｔ１０を検出する。図５（ｂ）に示すように、ステップＳ４２において、ユーザーが親指Ｆ１でアイコン２３の内部に接触した状態で人差し指Ｆ２でアイコン２３の外部に接触すると、タッチパネル３０は、アイコン２３の内部で第１接触点Ｔ１０を検出するとともに、アイコン２３の外部で人差し指Ｆ２による第２接触点Ｔ２０を検出する。
【００３８】
図５（ｃ）に示すように、ステップＳ４３において、ユーザーは、親指Ｆ１をアイコン２３の内部に接触させつつ、第１方向Ｒ１に人差し指Ｆ２をスライドさせた後、表示部２０の表示面２０Ａから親指Ｆ１及び人差し指Ｆ２を離す。従って、タッチパネル３０は、第１接触点Ｔ１０を軸とした第２接触点Ｔ２０の第１方向Ｒ１への回転を検出した後、親指Ｆ１の表示面２０Ａからの離間及び人差し指Ｆ２の表示面２０Ａからの離間を検出する。
【００３９】
制御部１０は、タッチパネル３０がアイコン２３の内部で第１接触点Ｔ１０を検出するとともに第２接触点Ｔ２０の第１方向Ｒ１への回転を検出したあと、親指Ｆ１及び人差し指Ｆ２の表示面２０Ａからの離間を検出するときに、表示部２０にアイコン２３の表示を維持させる。従って、図５（ｄ）に示すように、ステップＳ４４において、制御部１０は、表示部２０にアイコン２３の表示を維持させる。
【００４０】
ここで、タッチパネル３０が親指Ｆ１の表示面２０Ａからの離間を検出してから、所定の時間が経過する前に人差し指Ｆ２の表示面２０Ａからの離間を検出すると、制御部１０は、タッチパネル３０が親指Ｆ１及び人差し指Ｆ２の表示面２０Ａからの離間を検出したと判定する。また、タッチパネル３０が人差し指Ｆ２の表示面２０Ａからの離間を検出してから、所定の時間が経過する前に親指Ｆ１の表示面２０Ａからの離間を検出する場合であっても、制御部１０は、タッチパネル３０が親指Ｆ１及び人差し指Ｆ２の表示面２０Ａからの離間を検出したと判定する。なお、本変形例における所定の時間は、ユーザーが任意に設定できる。
【００４１】
図１、図４、及び図５を参照して説明したように、本変形例によれば、親指Ｆ１及び人差し指Ｆ２のいずれかの離間が検出されると、アイコン非表示制御が実行され、親指Ｆ１及び人差し指Ｆ２の離間が検出されるとアイコン非表示制御の実行が取り消される。従って、ユーザーが誤ってアイコン２３を非表示にするように表示面２０Ａに接触した場合、ユーザーは、親指Ｆ１及び人差し指Ｆ２を表示面２０Ａから離間させれば、表示部２０にアイコン２３の表示を維持させることができる。その結果、ユーザーの誤操作に起因してアイコン２３が非表示にされることをさらに抑制できる。
【００４２】
（実施形態２）
図６を参照して、本発明の実施形態２に係る画像形成装置２について説明する。図６は、画像形成装置２を示す。画像形成装置２は、例えば、複写機、プリンター、ファクシミリ、又は複合機である。複合機は、例えば、複写機、プリンター、及びファクシミリのうち少なくとも２つの機器を備える。
【００４３】
画像形成装置２は、制御部１０と、原稿搬送部１００と、画像読取部１１０と、収納部１２０と、搬送部１３０と、画像形成部１４０と、定着部１５０と、排出部１６０と、複数のファイルを記憶する記憶部１７０とを備える。シートＴは、シート搬送方向に沿って画像形成装置２の内部を搬送される。
【００４４】
制御部１０は、実施形態１に係る制御部１０として機能し、表示部２０は、実施形態１に係る表示部２０として機能し、タッチパネル３０は、実施形態１に係るタッチパネル３０として機能する。従って、画像形成装置２に備えられる制御部１０、表示部２０、及びタッチパネル３０は、実施形態１に係る表示装置１を構成する。
【００４５】
原稿搬送部１００は、画像読取部１１０に向けて原稿を搬送する。画像読取部１１０は、原稿の画像を読み取って画像データを生成する。収納部１２０はシートＴを収納する。収納部１２０は、カセット１２１及び手差しトレイ１２３を含む。カセット１２１はシートＴを積載する。シートＴは、カセット１２１又は手差しトレイ１２３から搬送部１３０に送り出される。シートＴは、例えば、普通紙、コピー紙、再生紙、薄紙、厚紙、光沢紙、又はＯＨＰ（Ｏｖｅｒｈｅａｄ  Ｐｒｏｊｅｃｔｏｒ）シートである。
【００４６】
搬送部１３０は、画像形成部１４０にシートＴを搬送する。画像形成部１４０は、感光体ドラム１４１、帯電部１４２、露光部１４３、現像部１４４、転写部１４５、クリーニング部１４６、及び除電部１４７を含み、シートＴに画像を形成（印刷）する。
【００４７】
画像の転写されたシートＴは定着部１５０に向けて搬送される。定着部１５０は、シートＴを加熱及び加圧して、シートＴに画像を定着させる。画像が定着されたシートＴは排出部１６０に向けて搬送される。排出部１６０はシートＴを排出する。
【００４８】
記憶部１７０は、主記憶装置（例えば、半導体メモリー）及び補助記憶装置（例えば、ハードディスクドライブ）を含む。
【００４９】
制御部１０は、画像形成装置２の各要素を制御する。具体的には、制御部１０が、記憶部１７０に格納されたコンピュータープログラムを実行することにより、表示部２０、原稿搬送部１００、画像読取部１１０、収納部１２０、搬送部１３０、画像形成部１４０、及び定着部１５０を制御する。制御部１０は、例えば、ＣＰＵ（Ｃｅｎｔｒａｌ  Ｐｒｏｃｅｓｓｉｎｇ  Ｕｎｉｔ）である。
【００５０】
以上、図６を参照して説明したように、実施形態２によれば、画像形成装置２は、実施形態１に係る表示装置１として機能する。従って、実施形態１と同様に、複数のファイルを連続して選択できる。その他、実施形態１と同様の効果を得ることができる。
【００５１】
以上、図面（図１〜図６）を参照しながら本発明の実施形態について説明した。但し、本発明は、上記の実施形態に限られるものではなく、その要旨を逸脱しない範囲で種々の態様において実施することが可能である（例えば、下記に示す（１）〜（５））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００５２】
（１）図２〜図５を参照して説明したように、第１接触点Ｔ１０を軸として第２接触点Ｔ２０が第１方向Ｒ１に回転することで、第１接触点Ｔ１０の位置するアイコン２１〜２３のいずれかが表示部２０に非表示にされた。ただし、第１接触点Ｔ１０を軸として第２接触点Ｔ２０が所定の回転角以上に第１方向Ｒ１に回転することで、第１接触点Ｔ１０の位置するアイコン２１〜２３のいずれかが表示部２０に非表示にされてもよい。所定の回転角は、ユーザーが任意に設定でき、例えば９０度である。また、第１接触点Ｔ１０を軸として第２接触点Ｔ２０が所定の回転角以上に第２方向Ｒ２に回転することで、第１接触点Ｔ１０の位置するアイコン２１〜２３のいずれかが保護状態に設定されてもよい。
【００５３】
（２）図２〜図５を参照して説明したように、ユーザーは、親指Ｆ１でアイコン２３の内部に接触し、人差し指Ｆ２でアイコン２３の外部に接触した。ただし、ユーザーは、人差し指Ｆ２でアイコン２３の内部に接触し、親指Ｆ１でアイコン２３の外部に接触してもよい。また、ユーザーは、中指、薬指、又は小指でアイコン２１〜２３のいずれかの内部に接触してもよいし、中指、薬指、又は小指でアイコン２１〜２３のいずれかの外部に接触してもよい。
【００５４】
（３）図２〜図５を参照して説明したように、タッチパネル３０がアイコン２３の内部で第１接触点Ｔ１０を検出するとともに第２接触点Ｔ２０の第１方向Ｒ１への回転を検出したときに、制御部１０は、表示部２０にアイコン２３を非表示にさせた。また、タッチパネル３０がアイコン２３の内部で第１接触点Ｔ１０を検出するとともに第２接触点Ｔ２０の第２方向Ｒ２への回転を検出したときに、制御部１０は、アイコン２３を保護状態に設定した。ただし、制御部１０は、アイコン２３の内部で第１接触点Ｔ１０が検出されるとともに第２接触点Ｔ２０の第２方向Ｒ２への回転が検出されると、表示部２０にアイコン２３を非表示にさせてもよいし、制御部１０は、アイコン２３の内部で第１接触点Ｔ１０が検出されるとともに第２接触点Ｔ２０の第１方向Ｒ１への回転が検出されると、アイコン２３を保護状態に設定してもよい。
【００５５】
（４）図１、図４、及び図５を参照して説明したように、第１接触点Ｔ１０が検出されるとともに、第２接触点Ｔ２０の第１方向Ｒ１への回転が検出されたあと、親指Ｆ１及び人差し指Ｆ２のいずれかの離間が検出されると、アイコン非表示制御が実行され、親指Ｆ１及び人差し指Ｆ２の離間が検出されるとアイコン非表示制御の実行が取り消された。ただし、第１接触点Ｔ１０が検出されるとともに、第２接触点Ｔ２０の第２方向Ｒ２への回転が検出されたあと、親指Ｆ１及び人差し指Ｆ２のいずれかの離間が検出されると、第１接触点Ｔ１０の位置するアイコン２１〜２３のいずれかが保護状態に設定され、親指Ｆ１及び人差し指Ｆ２の離間が検出されると第１接触点Ｔ１０の位置するアイコン２１〜２３のいずれかの保護状態の設定が取り消されてもよい。
【００５６】
（５）図２〜図５を参照して説明したように、タッチパネル３０は、第２接触点Ｔ２０の回転を検出した。ただし、タッチパネル３０が検出する第２接触点Ｔ２０の始点の位置情報と終点の位置情報との差分に応じて、制御部１０は、第２接触点Ｔ２０の回転方向が第１方向Ｒ１及び第２方向Ｒ２のいずれであるかを判定してもよい。
【産業上の利用可能性】
【００５７】
本発明は、表示装置及び画像形成装置に関するものであり、産業上の利用可能性を有する。
【符号の説明】
【００５８】
１      表示装置
２      画像形成装置
１０    制御部
２０    表示部
２０Ａ  表示面
２１    アイコン
２２    アイコン
２３    アイコン
３０    タッチパネル（検出部）
Ｆ１    親指（第１被検出物）
Ｆ２    人差し指（第２被検出物）
Ｔ      シート
Ｔ１０  第１接触点
Ｔ２０  第２接触点
【図１】
0006319201.tif 000002
【図２】
0006319201.tif 000003
【図３】
0006319201.tif 000004
【図４】
0006319201.tif 000005
【図５】
0006319201.tif 000006
【図６】
0006319201.tif 000007